(57)【特許請求の範囲】
【請求項１】
複数の硬貨がその厚さ方向に積層され保持されて成る棒金を着脱自在に収納するホッパ部を有するキャッシュドロアにおいて、
前記ホッパ部に、前記棒金の長手方向の端面に記載された表示情報を補足しその情報を目視可能情報として外部に向けて転写出力する転写出力機構を併設すると共に、この転写出力機構を前記棒金の長手方向の端面に対向して設置した反射ミラーを含む構成としたことを特徴とするキャッシュドロア。
【請求項２】
請求項１に記載のキャッシュドロアにおいて、
前記ホッパ部を金種毎に形成された複数の棒金に対応して複数設けると共に、この複数の各ホッパ部毎に、前記棒金の長手方向の端面と対向させて前記反射ミラーを設けたことを特徴とするキャッシュドロア。
【請求項３】
請求項２に記載のキャッシュドロアにおいて、
前記ホッパ部を、同一金種からなる複数の棒金を少なくとも上下２段に収納可能な構造としたことを特徴とするキャッシュドロア。
【請求項４】
請求項２または請求項３に記載のキャッシュドロアにおいて、
前記ホッパ部に収納された前記棒金の端面と前記反射ミラーとの間に、前記棒金を取り出す際に必要とする空間領域を設けたことを特徴とするキャッシュドロア。
【請求項５】
請求項４に記載のキャッシュドロアにおいて、
前記空間領域は、前記反射ミラーが設けられている空間の一部を共有して形成したものであることを特徴とするキャッシュドロア。
【請求項６】
請求項１ないし請求項５のいずれか一つに記載のキャッシュドロアにおいて、
前記反射ミラーに換えてプリズムを含む構成としたことを特徴とするキャッシュドロア。
【請求項７】
請求項１ないし６のいずれか一つに記載のキャッシュドロアにおいて、
前記ホッパ部に収納される棒金は、その長手方向の端面に記載された当該棒金の硬貨を示す数字として少なくとも反転した数字を表記したものであることを特徴とするキャッシュドロア。
【請求項８】
前記請求項１ないし７のいずれか一つに記載のキャッシュドロアと、このキャッシュドロアの前記ホッパ部に収納される棒金の誤収納如何を判断しその結果を表示する誤収納監視手段を備え、
この誤収納監視手段を、
前記ホッパ部に収納される棒金にかかる金種情報を検出し出力するセンサを備えた棒金情報入力部と、この検出された金種情報を入力し前記ホッパ部に対応する金種の棒金か否かを予め特定された対応データに基づいて判断する主制御部と、この主制御部における判断結果を表示する収納結果表示部とにより構成したことを特徴とする棒金管理装置。
【請求項９】
前記請求項８に記載の棒金管理装置において、
前記主制御部にメモリ部を併設すると共に、このメモリ部には、前記主制御部の判断基準である前記ホッパ部に対応する金種の棒金にかかる対応データが予め格納されていることを特徴とする棒金管理装置。
【請求項１０】
請求項９に記載の棒金管理装置を組み込んだことを特徴とするＰＯＳシステム。
【発明の詳細な説明】
【技術分野】
【０００１】
本発明は、キャッシュドロア、棒金管理装置およびＰＯＳシステムに関し、より詳しくは、棒金（例えば、５０個の硬貨を束にして棒状にしたもの）の金種の目視判定を容易にするキャッシュドロア、棒金管理装置およびＰＯＳシステムに関する。
【背景技術】
【０００２】
スーパーやコンビニ等で買い物客は、店舗内に陳列された商品の中から希望する商品を選択し、例えば買い物籠やカートに入れてレジへ運ぶ。
レジでは、運ばれてきた商品に添付されたバーコード等に記録された値段を商品名と共に店員がバーコードリーダ等により読み取り、又はキーボードを操作して入力して合計金額（および消費税）を計算する。買い物客は、この合計金額に基づいて支払（精算）を行い、商品を受け取るシステムとなっている。
【０００３】
買い物客が快適に買い物を行うと共に店舗においても少ない従業員数で効率的に多数の買い物客に対応するために、精算処理を迅速に行う必要がある。
この精算処理は、店舗にもよるが、買い物客の大部分は現金（紙幣および硬貨）により行うのが一般的である。そして、多くの買い物客は、買い物した商品の合計金額より大きい額の紙幣、例えば１０，０００円札、５，０００円札、又は複数枚の１，０００円札等を出すので、「つり銭」が必要である。
【０００４】
そこで、スーパーやコンビニの店舗では、例えばレジのキャッシュレジスタのキャッシュドロア内に常時十分な数の「つり銭」を収容している。そして、このキャッシュドロア内に収容又は保管されている「つり銭」の数量を、流通している全ての金種（即ち、１円、５円、１０円、５０円、１００円および５００円）毎に常時、正確に管理することが望まれる。 
【０００５】
キャッシュドロア内の「つり銭」は、買い物客に対する精算処理を迅速に行えるように、常時所定枚数の硬貨を、金種毎に所定の収容部にバラバラの状態で、即ち「バラ銭」として収容・保管されているのが好ましい。
しかし、キャッシュドロア内に収容・保管している「バラ銭」が不足する事態が発生し得る。そのために、それぞれの金種を棒金としてキャッシュドロア内に収容・保管し、「バラ銭」が不足した場合には、直ちに不足した金種の棒金の束を壊して、不足した「バラ銭」を補充する必要がある。
この棒金は、金種毎に所定数、例えば５０個毎にまとめ、比較的容易に破壊可能な紙等により束状にまとめられている。
【０００６】
このような棒金の金種を正確に表示し判定して管理する技術は、幾つかの文献に開示されている（例えば、特許文献１参照）。
【０００７】
【特許文献１】特開２００６−２８５４７９号公報
【発明の開示】
【発明が解決しようとする課題】
【０００８】
しかしながら、上記特許文献１はセットした棒金を保持する引き出しを引き出さないと異金種であるか判定できないため、リアルタイム性に欠け、更に目視の容易性については考慮がされていない。
【０００９】
すなわち、包装面を見ただけでは、目視で金種を認識することが困難な場合がある。第１の問題点として、棒金（例えば、５０個の硬貨を束にして棒状に包装したもの）は、包装された状態では、仮に透明なフィルムであっても包装面（硬貨円周面）を見ただけでは金種の目視判別が難しく、棒状側面（硬貨の平面）を見なければ判別できない場合がある。 
【００１０】
ここで、明らかに直径の異なる、例えば５００円硬貨と１円硬貨の比較である場合は容易に目視判別が可能であるが、直径や５０枚を棒状にした長さが比較的近い、例えば１００円硬貨と５０円硬貨では、包装面を見ただけでは目視判別が難しい。
また、明らかに色が異なる１００円硬貨と１０円硬貨の比較は例えば包装材が透明なフィルムである場合は包装面を見ただけで目視判別が可能であるが、包装材が不透明の場合は目視判別ができない。
さらに、６金種（１円硬貨、５円硬貨、１０円硬貨、５０円硬貨、１００円硬貨、５００円硬貨）がドロア内に混在した場合、上述したような理由により一層目視判別が難しくなる。
【００１１】
第２の問題点として、棒金を重ねることにより生じる問題がある。
すなわち、キャッシュドロアが、金種毎に棒金を収納するホッパを設け、棒金の径や長さをセンサで監視し、例えば２段以上に棒金を積み重ねても自動で判別できる機能を有し、異金種がセットされた場合にＬＥＤ等でその状態を操作者にリアルタイムで通知する機能（例えば赤点灯）を有する棒金管理可能な制御手段を備えていても、間違ってセットされた場合、どの金種（上段と下段またはそれ以外）が異金種であったかを特定するには、第１にＬＥＤ等の表示を棒金の数量分配置する必要がある。その場合、ＬＥＤの数量が増えれば、コストアップとなる。また、ＬＥＤ等の数量の増加は、逆に視覚的に混乱を招く恐れがある。
第２に、１つのＬＥＤ等で表示する場合は、どの棒金が異金種であるか特定せず、棒金を目視で判断しなければならない。
第３に、１つのＬＥＤ等で表示する場合は、表示方法を変化（点滅時間等）させて間違ってセットされた棒金を特定させる方法が考えられるが、複数のパターンがある場合、オペレータは判断し難い。
【００１２】
第３の問題点として、棒金を重ねることにより生じる別の問題がある。
すなわち、ドロア内の限られたエリアに、より多くの棒金を収納するには、空きスペースが少なくなる。スペースがあれば棒金側面を見やすいように空間を設ければよいが、スペースが多く取れない場合はケースの壁と側面が近くなるため、覗くことはより難しくなる。
また、複数段積み重ねた場合、直接的に棒金側面（硬貨の平面）を見ようとしても特に下段の棒金は目視が更に難しい。また、空きスペースが少ないため、照明の照射量が不足（暗い）し、更に目視が困難となる。
【００１３】
このため、本発明では、前記従来例の不都合を改善するため、目視で容易に棒金の金種を確認することができるキャッシュドロア、棒金管理装置およびＰＯＳシステムを提供することを目的とする。
【課題を解決するための手段】
【００１４】
上記目的を達成するため、本発明のキャッシュドロアは、複数の硬貨がその厚さ方向に積層され保持されて成る棒金を着脱自在に収納するホッパ部を有するキャッシュドロアにおいて、
前記ホッパ部に、前記棒金の長手方向の端面に記載された表示情報を補足しその情報を目視可能情報として外部に向けて転写出力する転写出力機構を併設すると共にこの転写出力機構を、前記棒金の長手方向の端面に対向して設置した反射ミラーを含む構成としたことを特徴とする（請求項１）。
【００１５】
このため、これによると、反射ミラーに反射されたホッパ部内の棒金の長手方向の端面を上方から目視できるので、棒金の金種を容易に確認することができる。その結果、誤収納を即座に認識でき、修正時間を短縮することができる。
【００１６】
また、前記ホッパ部を金種毎に形成された複数の棒金に対応して複数設けると共に、この複数の各ホッパ部毎に、前記棒金の長手方向の端面と対向させて前記反射ミラーを設けてもよい（請求項２）。
【００１７】
このようにすると、ホッパ部が複数設けられていても、それぞれに反射ミラーを設けてあるので、ホッパ部毎に収納された棒金を目視でき、これにより、棒金の金種を容易に確認することができる。
【００１８】
さらに、前記ホッパ部を、同一金種からなる複数の棒金を少なくとも上下２段に収納可能な構造としてもよい。（請求項３）。
このようにすると、同一金種の棒金を上下方向に２段ずつ収納できるので、ホッパ部をそれほど大きくしなくてもよく、また、すぐに棒金がなくなることもないので補充を頻繁にせずにすむ。
【００１９】
また、前記ホッパ部に収納された前記棒金の端面と前記反射ミラーとの間に、前記棒金を取り出す際に必要とする空間領域を設けてもよい（請求項４）。
このようにすると、空間領域から、例えば指を差し込んで棒金を取り出せるので、ホッパ部に異種棒金が収納され交換の必要が生じたとき等、交換作業が容易となる。
【００２０】
また、前記空間領域は、前記反射ミラーが設けられている空間の一部を共有して形成してもよい（請求項５）。
このようにすると、空間領域を、反射ミラーが設けられている空間と別個に設けなくてもよく、これにより小型化を図ることができる。
【００２１】
さらに、前記反射ミラーに換えてプリズムを含む構成としてもよい（請求項６）。
このようにすると、プリズムに反射された棒金の端面を上方から目視できるので、ホッパ部に収納された棒金の金種を容易に確認できる。
【００２２】
また、前記ホッパ部に収納される棒金は、その長手方向の端面に記載された当該棒金の硬貨を示す数字として少なくとも反転した数字を表記したものであってもよい（請求項７）。
【００２４】
このようにすれば、棒金の外周および端面が包装紙で包装され、端面に金種のラベル等が貼られるとき、反転した数字が表記されているので、反射ミラーやプリズムによって、数字が正常に表示されるようになり、上方からの目視が正確に、かつ容易に行えるようになる。
【００２５】
また、本発明の棒金管理装置は、前記請求項１ないし請求項７のいずれか一つに記載のキャッシュドロアと、このキャッシュドロアの前記ホッパ部に収納される棒金の誤収納如何を判断しその結果を表示する誤収納監視手段を備え、この誤収納監視手段を、前記ホッパ部に収納される棒金にかかる金種情報を検出し出力するセンサを備えた棒金情報入力部と、この検出された金種情報を入力し前記ホッパ部に対応する金種の棒金か否かを予め特定された対応データに基づいて判断する主制御部と、この主制御部における判断結果を表示する収納結果表示部とにより構成してもよい（請求項８）。
【００２６】
このようにすると、誤セットした棒金を容易にかつ確実に特定することができる。
【００２７】
また、前記主制御部にメモリ部を併設すると共に、このメモリ部には、前記主制御部の判断基準である前記ホッパ部に対応する金種の棒金にかかる対応データが予め格納されていてもよい（請求項９）。
【００２８】
このようにすると、ホッパ部に収納される棒金の誤収納如何を判断する際に、ホッパ部に対応する金種の棒金にかかる対応データがメモリ部に予め格納されているので、主制御部での判断が容易である。
【００２９】
本発明のＰＯＳシステムは、請求項９に記載の棒金管理装置を組み込んだことを特徴とする（請求項１０）。
【００３０】
このようにすると、ＰＯＳシステムにおける店頭販売の本社管理に当たって、販売時点における支払い管理に対しても、手持ち残金の監視と共に細部にわたって包括的な監視体制を確立することが可能となる、という利点がある。
【発明の効果】
【００３１】
本発明のキャッシュドロアは、以上のように構成したので、これによると、キャッシュドロア内部に収納された棒金を、転写出力機構により目視でき、その結果、棒金の金種を容易に確認することができる。
【発明を実施するための最良の形態】
【００３２】
以下に、図面を参照して本発明のキャッシュドロアの一実施形態を詳細に説明する。
図１はキャッシュドロア１０の全体図であり、図２は引出しを引き出した際のキャッシュドロア１０の平面図であり、図３はキャッシュドロア１０のホッパ部であるコインケース１４の上面から見た平面図である。
【００３３】
図１，２に示すように、キャッシュドロア１０は、薄鋼板等で形成されたハウジング１１を備え、このハウジング１１内に、薄鋼板等で形成された１個の引出し１２が、矢印Ａで示す方向にスライド自在に収容されている。
【００３４】
引出し１２には、引出し側手前にバラ銭収納部１３が設けられ、このバラ銭収納部１３の奥側に複数の前記コインケース１４が金種毎に実装されている。そして、それぞれのコインケース１４には、各種棒金１５が金種毎に、上下２段に収納できるようになっている。
ただし、上下２段ずつ収納されている各種棒金１５の長手方向端面は、図２において紙面直交方向から、つまり引出し１２の上方からは直接見ることができない。
なお、本実施形態において、棒金１５の端面とは、複数の硬貨がその厚さ方向に積層され保持されて成る棒金１５の長手方向と直交する端面、つまり硬貨の平面を言うものとする。
【００３５】
ここで、各種棒金１５は、金種毎に幅や長さが異なるサイズとなっており、各コインケース１４には、それぞれ同じ金種の棒金１５が収納されるようになっている。
そして、棒金１５は、その外周および端面の一部まで巻き込んで包装紙で包装されているが、端面の大部分は包装されておらず、硬貨の文字や絵柄は見える状態となっている。
なお、棒金１５は、上述のように端面の一部まで巻き込んで包装紙で固定いるため、包装紙を含んだ棒金１５の全長は、硬貨を積み重ねた寸法よりは若干長くなっている。
【００３６】
図３、４には、１個のコインケース１４の詳細が示されている。
コインケース１４は、同じ金種の棒金１５を、下段に棒金１５Ａ、上段に棒金１５Ｂとして上下２段に収納できる大きさの矩形形状の枠体１６を備え、この枠体１６は、底板１７に固定されている。
【００３７】
枠体１６は、コインケース１４の長手方向両端側に設けられ、互いに所定間隔離れて配置された第１枠１８および第２枠１９と、これらの枠１８、１９同士を繋ぐと共に、棒金１５の下部を支持して枠体１６内に収納可能とする棒金支持部材２０とを備えて構成されている。
そして、第１枠１８と第２枠１９と棒金支持部材２０とを連続させたとき、前述のように、棒金１５を上下２段に収納できる大きさの、平面矩形形状の枠体１６が形成されようになっている。
【００３８】
第１枠１８および第２枠１９は、例えば透明樹脂製の板材で形成され、それぞれの上面から棒金支持部材２０の長手方向中央部に向かって延びると共に、途中から長手方向中央部の下部に向かって傾斜し、傾斜先の端部同士が、底板１７から立ち上がった先端プレート２２でそれぞれ固定され、かつ先端プレート２２の上端部で互いが所定間隔となった形状となっている。
【００３９】
枠体１６の第１枠１８および第２枠１９の上面には、上板２１が第１枠１８および第２枠１９とそれぞれ一体に設けられている。すなわち、上板２１は第１枠１８および第２枠１９の外形形状に沿って、かつ第１枠１８および第２枠１９の側面から外側に突出して設けられている。この際、上板２１の上面は第１枠１８および第２枠１９の上端面より所定寸法高い位置に設定されている。
【００４０】
棒金支持部材２０は、図５に詳細を示すように、所定長さ寸法の丸パイプを径方向に２つ割りし、両端にフランジ部を有する断面半円形状に形成されている。そして、棒金支持部材２０の半円形の内周部が棒金１５の下部を載置する載置部２０Ａとされ、この載置部２０Ａに棒金１５を載置、収納できるようになっている。
【００４１】
図３に示すように、棒金支持部材２０の長さ方向両端部の側面は、前記第１枠１８および第２枠１９の互いに対向する端面と当接することで連続し、これにより、棒金１５を収納する平面矩形形状の枠体１６が構成されることになる。また、棒金支持部材２０の上方、かつ、対向する先端プレート２２間から上方は開口部Ｋ（図４参照）となっている。
以上のような棒金支持部材２０は、前記底板１７に固定された台座２３上に設けられ、この台座２３の上面は、棒金支持部材２０の下面を支持できるように凹面状に形成されている。
【００４２】
コインケース１４において、その長手方向一方の端部側には、前記棒金１５の側面と対向する広い空間が形成されている。そして、この空間の下部には反射面が角度α°となるように転写出力機構である反射ミラー２５が設置されている。反射ミラー２５は、その背面が枠体１６の第１枠１８の長手方向一端部の内壁面に当接して設けられている。また、反射ミラー２５は、棒金１５の端面の略全部を映し出せる幅寸法を有している。
反射ミラー２５の設置角度α°は、その反射面に棒金１５の端面が反射して映し出されたとき、オペレーターがキャッシュドロア１０の略中央部の真上等、上方から見たとき、容易に目視Ｍできるような角度となっている（図７参照）。
【００４３】
コインケース１４の前記空間の下部には前述のように反射ミラー２５が配置されているが、反射ミラー２５の上方は棒金１５を取り出す際に、図８に示すように、オペレーターが例えば人差し指２６を差し込んで矢印Ｂ方向に持ち上げることができるような広さの空間領域Ｓとなっている。
そして、この空間領域Ｓは、反射ミラー２５が備えられている空間の一部となっている。
【００４４】
枠体１６において空間領域Ｓとは反対側の幅方向両側面には、発光センサー３０と受光センサー３１とが、それぞれ上下方向に４個ずつ設けられている。
これらのセンサー３０、３１は、コインケース１４内に収容された棒金１５の外径寸法を検出することで、その棒金１５が所定のものであるか否かを検出するものである。
例えば、５００円硬貨の棒金１５が収納されるべきコインケース１４なのに、１００円硬貨の棒金１５が収納された場合、両者は棒金１５の大きさ（径）が異なるため、収納ミスの表示がなされ、その信号が、空間領域Ｓ側の上板２１に取り付けられたＬＥＤからなる表示ランプ３２に送られるようになっている。
【００４５】
また、コインケース１４の長手方向両端の上板２１の下面には、それぞれ、発光センサー３４と受光センサー３５とが配置されている。これらのセンサー３４、３５は、コインケース１４内に収容された棒金１５が所定のものであるか否かの判断を、その棒金１５の全長を検出することで行うものである。
【００４６】
すなわち、例えば５００円硬貨の棒金１５が収納されるべきコインケース１４なのに、１００円硬貨の棒金１５が収納された場合、両者は棒金１５の長さが異なるため、収納ミスの判断がなされ、その信号が、空間領域Ｓ側の上板２１に取り付けられた前記表示ランプ３２に送られるようになっている。
【００４７】
次に、本実施形態のキャッシュドロア１０の使用方法を図４、図６〜図８に基づいて説明する。
図４において、決められた金種の棒金１５をセットするコインケース１４に、棒金１５を１個、又は下段棒金１５Ａと上段棒金１５Ｂとの２個重ねてセットされたとき、棒金１５の外径寸法や形長さ寸法を監視できるセンサ３０，３１、および３４，３５によって、決められた棒金１５がセットされたか、異金種がセットされたか自動で判別し、表示ランプ３２でリアルタイムに結果を、後述する誤収納監視装置４０の主制御部４２（図１０参照）に送信する。
例えば、棒金１５が無い場合は消灯、決められた棒金１５がセットされた場合は緑、異金種の棒金１５がセットされた場合は赤に点灯する。異金種と判断された棒金１５を取り出す際は、図７に示すように、空間領域Ｓに、例えば指２６を差し込み、その指２６を棒金１５の端面に引掛けて取り出す。
【００４８】
図６は、棒金１５がセットされた状態を、上方からのオペレータの目線Ｍで見た状態である。この場合、表示ランプ３２が例えば赤く点灯し、異金種がセットされたことは認識できても、この状態では棒金１５の端面は直接見ることができず、２段の棒金１５の内、上段と下段のどちら側が異金種であるかは、目線をずらして側面をみなければならない。しかし反射ミラー２５が設置されているので、棒金１５の側面をオペレータの目線Ｍで上方から容易に見ることができる。
【００４９】
さらに、図６に示すように、照明Ｅが棒金１５の端面を照射するため、反射ミラー２５で棒金１５側面を、図示する目線Ｍで見る場合において、視認性が向上する。
また、仮に図８のように、直接、棒金１５の側面を見る場合においても、照明Ｅが反射ミラー２５に当たり、その照明Ｅにより棒金１５の側面が照らし出されて明るくなるため、視認性が向上するという効果がある。
【００５０】
以上のような第１実施形態によれば、次のような効果を得ることができる。
（１）キャッシュドロア１０の内部に収納された棒金１５を、反射ミラー２５により目視できるので、棒金１５の金種を容易に確認することができる。その結果、誤収納を即座に認識でき、修正時間を短縮することができる。
【００５１】
（２）コインケース１４が金種毎に形成された複数の棒金１５に対応して複数設けられ、これらのコインケース１４毎に、棒金１５の端面と対向させて反射ミラー２５が設けられているので、コインケース１４毎に収納された棒金１５を目視でき、これにより、棒金１５の金種を容易に確認することができる。
【００５２】
（３）コインケース１４が、同一金種からなる棒金１５が上下２段に収納可能な構造となっているので、コインケース１４をそれほど大きくしなくてもよく、また、すぐに棒金１５がなくなることもないので棒金１５の補充を頻繁にせずにすむ。
【００５３】
（４）コインケース１４の一端側において、棒金１５と反射ミラー２５との間に、棒金１５を取り出す際に必要とする空間領域Ｓが設けられているので、空間領域Ｓから、例えば指２６を差し込んで棒金１５を取り出せるので、コインケース１４に異種棒金が収納され交換の必要が生じたとき等、交換作業が容易となる。
【００５４】
（５）空間領域Ｓが、反射ミラー２５が備えている空間の一部を共有しているので、空間領域Ｓを、反射ミラー２５が備えている空間と別個に設けなくてもよく、これにより小型化を図ることができる。
【００５５】
（６）コインケース１４の一端側において、棒金１５の端面と対向するように反射ミラー２５が設けられているので、棒金１５の端面を直接目視する場合でも、照明Ｅによる光が反射ミラー２５で反射されるので、棒金１５の端面を容易に見ることができ、視認性が向上する。
【００５６】
次に、図９に基づいて本発明のキャッシュドロアの第２実施形態を説明する。
本第２実施形態では、転写出力機構としてプリズム５５を用いたものである。
すなわち、第１実施形態と第２実施形態とでは、反射ミラー２５とプリズム５５だけが異なり、他の構造は同じなので、同じ部位には同一符号を付すと共に、その詳細な説明は省略する。
【００５７】
プリズム５５は、前記棒金取出し空間Ｓ内に配置されており、外部からの光が棒金１５の側面に当たり、その光がプリズム５５を介して上方に反射される。
プリズム５５の反射面の角度を調整することで、オペレータがキャッシュドロア１０の上方から視認することができる。
ここで、プリズム５５を実装することにより、空間領域Ｓが少ない場合は、棒金１５の外周包装面を指で掴めるようにしてもよい。
【００５８】
以上のような第２実施形態によれば、前記と略同様の作用と、前記（１）〜（６）と略同様の効果を得ることができる。
【００５９】
次に、図１０に基づいて、本発明の第３実施形態としての棒金管理装置５０とＰＯＳシステム６０とを説明する。
まず、棒金管理装置５０は、前記キャッシュドロア１０と誤収納監視装置４０とで構成されている。
誤収納監視装置４０は、棒金情報を入力する棒金情報入力部４１と、この棒金情報入力部４１からの入力情報に基づいて各種制御を実施する前記主制御部４２と、主制御部４２での制御により結果を表示する前記表示ランプからなる表示部３２と、主制御部４２に動作指令を入力する動作指令入力部４３とを備えている。
【００６０】
棒金情報入力部４１は、前記４個ずつの発光センサー３０と受光センサー３１、および各１個の発光センサー３４と受光センサー３５とで構成されている。棒金情報入力部４１では、発光センサー３０と受光センサー３１とにより、コインケース１４内に収納された棒金１５が、所定のものであるか否かを棒金１５の径寸法を見ることで検出するようになっている。
また、発光センサー３４と受光センサー３５とにより、コインケース１４内に収納された棒金１５が、他の所定のものであるか否かを棒金１５の長さ寸法を監視することで検出するようになっている。
【００６１】
主制御部４２は、各種の情報に基づいて比較、演算する演算部を有するマイクロコンピュータ４４と、このマイクロコンピュータ４４に接続され、各種情報を記憶するメモリ部４５とを備えて構成されている。このメモリ部４５には、棒金情報、すなわち１円、５円、１０円、５０円、１００円、５００円の６種類の硬貨からなるそれぞれの棒金１５の長さ寸法および径寸法と、複数のコインケース１４の長さおよび内径寸法、つまり載置部２０Ａの直径寸法、に関する情報が予め格納されている。
【００６２】
マイクロコンピュータ４１は、各センサー３０、３１および３４、３５からの情報に基づいて、メモリ部４５に記憶されている情報とを比較、演算して、コインケース１４に収納された棒金１５が正しいものか否かの判断を行い、異なるものが収納された場合、つまり誤収納の場合、表示部を構成する表示ランプ３２を点灯させる機能を有している。
ここで、表示ランプ３２では、例えば、棒金１５がない場合は消灯、決められた棒金１５がセットされた場合は緑、異金種がセットされた場合は赤に点灯するように設定されている。
なお、以上のような棒金情報入力部４１は、キャッシュドロア１０の内部に組み込まれている。
【００６３】
また、図１０に示すように、前記ＰＯＳシステム６０は、棒金管理装置５０を組み込んで構成されている。
すなわち、ＰＯＳシステム６０は、誤収納監視装置４０のマイクロコンピュータ４１に接続されたシステム本体６１を備えている。
【００６４】
このようにすることにより、ＰＯＳシステム６０における店頭販売の本社管理に当たって、販売時点における支払い管理に対しても、手持ち残金の監視と共に細部にわたって包括的な監視体制を確立することが可能となる。
【００６５】
以上のような第３実施形態によれば、次のような効果を得ることができる。
（７）ＬＥＤ等の表示ランプ３２からの通知結果と、目視結果の両方をチェックすることが容易となり、計数管理の信頼性が上がる。
【００６６】
（７）視認性が向上し、異金種の特定が容易であるため、ＬＥＤ等の表示ランプ３２が１個ですみ、表示ランプ３２の数量が減りコストダウンが図れると共に、発光パターンを減らすことができ、オペレータの負荷を低減することができる。
【００６７】
（７）ＬＤＥ等の表示ランプ３２が１個ですむため、実装エリアを有効に使うことができる。
【００６８】
なお、本発明は前記各実施形態に限定されるものではなく、本発明の目的を達成できる範囲での変形、改良等は本発明に含まれるものである。
例えば、前記各実施形態では、コインケース１４内に棒金１５を上下２段に重ねて収納するように形成したが、棒金１５の収納は１段でもよく、また、３段以上でもよい。
【００６９】
又、前記各実施形態では、複数のコインケース１４のそれぞれに、収納された棒金１５が所定のものであるか否かを検出するセンサ３０，３１および３４，３５を設けたが、これらのセンサ３０，３１および３４，３５を必ずしも設けなくてもよく、反射ミラー２５のみを設け、この反射ミラー２５で棒金１５側面を見て、異種棒金であるか否かの判断をオペレーターが判断できるようにしてもよい。
【産業上の利用可能性】
【００７０】
発明のキャッシュドロアは、スーパーやコンビニ等で用いることが可能である。
【図面の簡単な説明】
【００７１】
【図１】本発明のキャッシュドロア全体を示す斜視図である。
【図２】前記キャッシュドロアの引出しを引き出した状態を示す平面図である。
【図３】前記キャッシュドロアのコインケースおよび棒金を示す平面図である。
【図４】前記キャッシュドロアのコインケースおよび棒金を示す斜視図である。
【図５】前記コインケースの一部を示す斜視図である。
【図６】前記キャッシュドロアにおいて棒金を視認する状態を示す縦断面図である。
【図７】前記キャッシュドロアにおいて棒金を視認する状態を示す縦断面図である。
【図８】前記キャッシュドロアにおいて棒金を取り出す状態を示す縦断面図である。
【図９】本発明のキャッシュドロアの第２実施形態を示す縦断面図である。
【図１０】本発明の棒金管理装置およびＰＯＳシステムを示す全体図である。
【符号の説明】
【００７２】
１０  キャッシュドロア
１４  ホッパ部であるコインケース
１５  棒金
１５Ａ  下段棒金
１５Ｂ  上段棒金
１６  枠体
１８  第１枠
１９  第２枠
２０  棒金支持部材
２５  転写出力機構であるミラー
３０、３４  棒金情報入力部を構成する発光センサー
３１、３５  棒金情報入力部を構成する受光センサー
３２  表示部である表示ランプ
４０  誤収納監視装置
４１  棒金情報入力部
４２  主制御部
４３  動作指令入力部
４４  マイクロコンピューター
４５  メモリ部
５０  棒金管理装置
５５  転写出力機構であるプリズム
６０  ＰＯＳシステム
Ｓ  空間領域
【図１】
0004716200.tif 000002
【図２】
0004716200.tif 000003
【図３】
0004716200.tif 000004
【図４】
0004716200.tif 000005
【図５】
0004716200.tif 000006
【図６】
0004716200.tif 000007
【図７】
0004716200.tif 000008
【図８】
0004716200.tif 000009
【図９】
0004716200.tif 000010
【図１０】
0004716200.tif 000011